(57)【要約】      （修正有）【課題】キャップ動作が順調で且つ強固に嵌合できる印章保護キャップ構造を提供する。【解決手段】本印章保護キャップ構造は、開口収容溝を具え、溝口上端に制限リング１２が設けられた外キャップ１と、割り溝２１を具えたＣ形リングであって、該リングが適宜厚さを維持し、且つ該リング外周に上が厚く下が薄い階段面が形成され、内側に両端が異なる内径の収容孔が形成され、該外キャップ内側に収容、制限される内リングスリーブ２と、を包含し、内リングスリーブの割り溝と外周凸部２２により印章外周面が挟持され、さらに内リングスリーブのテーパ状の内側との当接が組み合わされ、印章が緊密に内リングスリーブ中に嵌合され、印章のぐらつきが防止され、キャップ動作が順調に行え強固な嵌合と印面保護の効果を達成する。【選択図】図１
0003155234.tif 000002
【実用新案登録請求の範囲】
【請求項１】
印章保護キャップ構造において、
外キャップであって、開口収容溝を具え、溝口上端に制限リングが設けられた、上記外キャップと、
内リングスリーブであって、割り溝を具えたＣ形リングであり、該リングに上が厚く下が薄い階段断面が形成され、該外キャップ内に挿入され、該内リングスリーブの上端が該外キャップの該制限リング内に制限され、該内リングスリーブの内周が該印章との嵌合に供される、上記内リングスリーブと、
を包含したことを特徴とする、印章保護キャップ構造。
【請求項２】
請求項１記載の印章保護キャップ構造において、該内リングスリーブが、その上部外周に形成された該凸部と、下部外周に形成された薄部を具えたことを特徴とする、印章保護キャップ構造。
【請求項３】
請求項２記載の印章保護キャップ構造において、該内リングスリーブの該凸部の内径が該薄部の内径より大きく、これによりテーパ状斜面を形成したことを特徴とする、印章保護キャップ構造。
【考案の詳細な説明】
【技術分野】
【０００１】
本考案はキャップ動作が順調で且つ強固に嵌合でき印面を保護できるカバーに係り、特に一種の印章保護キャップ構造を指す。
【背景技術】
【０００２】
周知の印章は刻印に便利であるように、木製のものが多く、図５に示されるのは周知の印面を保護する印章保護キャップ構造であり、それは、保護キャップ４の内周に上から下に漸次厚くなるリブ４１が設けられ、印章５が保護キャップ４に挿入された後、印章５の外周面５１とリブ４１の係合により、印章５が強固に保護キャップ４内部に保持される。
【０００３】
図６、７は別の周知の印章保護キャップ構造を示し、その保護キャップ６は半閉口の外キャップ６１と中空の固定リング６２が組み合わされてなり、該固定リング６２は該外キャップ６１の内周面６１１に当接し、該固定リング６２の内周６２１の下部に内向きに突出するフランジ６２２が設けられ、印章７が該保護キャップ６に挿入される時、該フランジ６２２により該印章７の外周面７１が弾性挟持される。
【考案の概要】
【考案が解決しようとする課題】
【０００４】
周知の印章保護キャップ構造は、長期にわたり印章を保護キャップに対して出し入れするうち、木製の印章周囲がリブの押圧を受けて摩損して印章周囲に凹みを発生し、さらには印面の完全性と捺印の品質に影響を与えた。
【０００５】
別の周知の印章保護キャップ構造も、印章にキャップする時、該固定リングのフランジによる該印章の外周面の弾性挟持を利用するため、長期に保護キャップに出し入れするうち、該印章の印面及び外周面と、固定リングの内周との間に押圧と摩損が発生し、印章周囲に傷がつき、印面の完全性と捺印の品質に影響を与えるのみならず、該印章の全体外観が悪くなる。また、該固定リングのフランジはその内周の下部に位置し、ゆえに印章を保護キャップにしまう時、印章は固定リングのフランジに向けて押圧し、外キャップ底部の気体が反作用力を発生させるが、該気体は上向きに排出されにくいため、空気抵抗を形成してキャップ動作が順調に行えない。印章にキャップした後、その固定リングの上部と印章の外周面の間には空隙が形成され、該空隙は印章のぐらつきを発生させやすい。ゆえに、このような周知の技術の問題に対して、本考案は解決手段を提供するものである。
【課題を解決するための手段】
【０００６】
本考案の印章保護キャップ構造は、開口収容溝を具え、溝口上端に制限リングが設けられた外キャップと、割り溝を具えたＣ形リングであって、該リング外周に上が厚く下が薄い階段面が形成され、内側に両端が異なる内径の収容孔が形成され、該外キャップ内側に収容、位置制限される内リングスリーブと、を包含し、内リングスリーブの割り溝と外周凸部の印章外周面に対する挟持に、内リングスリーブのテーパ状の内側との接合が組み合わされ、印章が緊密に内リングスリーブ中に嵌合され、印章のぐらつきが防止され、キャップ動作が順調に行え強固な嵌合と印面保護の効果を達成する。
【考案の効果】
【０００７】
周知の技術と比較して、本考案は以下の効果を達成することができる。
１．本考案は内リングスリーブが印章の外周面を摩損し得るフランジ構造とは無関係で、ゆえに印章表面の完全性と美観を保持でき、印面保護の機能も具備する。
２．本考案は内リングスリーブの割り溝と外周凸部により印面外周面を挟持し、さらに内リングスリーブのテーパ状の内周の当接が組み合わされ、印章が緊密に内リングスリーブ中に嵌合され、印章のぐらつきが防止され、印章と保護キャップが強固に嵌合される。
３．本考案は内リングスリーブの割り溝構造を利用し、ゆえに印章にキャップする時、外キャップ収容溝底部内の空気が内リングスリーブの割り溝を通り上向きに排出され、印章にキャップする時の空気提供を減らして印章キャップ動作を順調とする効果を達成する。
【図面の簡単な説明】
【０００８】
【図１】本考案の印章保護キャップ構造の分解図である。
【図２】本考案の外キャップと内リングスリーブの組合せ表示図である。
【図３】本考案の印章保護キャップ構造に印章を挿入する時の断面図である。
【図４】本考案の印章保護キャップ構造に印章を挿入後の組合せ断面図である。
【図５】周知の印章保護キャップ構造の分解図である。
【図６】別の周知の印章保護キャップ構造のキャップ動作表示図である。
【図７】別の周知の印章保護キャップ構造の組合せ表示図である。
【考案を実施するための形態】
【０００９】
図１、２を参照されたい。本考案は一種の印章保護キャップ構造を提供し、それは、
外キャップ１であって、開口収容溝１１を具え、溝口上端に制限リング１２が設けられた上記外キャップ１と、
内リングスリーブ２であって、割り溝２１を具えたＣ形リングであって、該リングに上部外周が厚体の凸部２２を呈し、下部外周が薄体の薄部２３を呈する階段面が形成され、該内リングスリーブ２が該外キャップ１の収容溝１１内に挿入され、該内リングスリーブ２の凸部２２上端が該外キャップ１の制限リング１２内に制限され、且つ該内リングスリーブ２の厚体の凸部２２の内径Ｒ１が薄体薄部２３の内径Ｒ２より大きく、これによりテーパ状の当接斜面が形成され、印章３が置き入れられた時に該保護キャップと緊密に嵌合させる、上記内リングスリーブと、
を包含する。
【００１０】
また、図３、４に示されるように、印章保護キャップ構造を使用する時は、まず内リングスリーブ２を巻き締めて外キャップ１の収容溝１１内に挿入し、該内リングスリーブ２の凸部２２の上端を該外キャップ１の制限リング１２内に制限し、薄部２３を外キャップ１の収容溝１１の内周との間に接合の空隙を保有させ、印章３を内リングスリーブ２の内径Ｒ１のテーパ状斜面に挿入する時、印章３外周面３１が内リングスリーブ２の割り溝２１を押し開き、印章３の外周面３１が内径Ｒ２のテーパ状斜面に進入する時、印章３が外キャップ１の収容溝１１底部内の空気を、内リングスリーブ２の割り溝２１を通して上向きに排出させ、印章キャップ時の空気抵抗を減らす。内リングスリーブの割り溝と外周凸部の印章外周面に対する相互挟持に、内リングスリーブのテーパ状の内周当接が組み合わされることで、印章が緊密に内リングスリーブ中に嵌合され、順調なキャップ動作と強固な嵌合及び印面保護の効果が達成される。
【００１１】
総合すると、本考案の印章保護キャップ構造は、内リングスリーブの割り溝と外周凸部の印章外周面に対する相互挟持に、内リングスリーブのテーパ状の内周当接が組み合わされることで、印章が緊密に内リングスリーブ中に嵌合され、印章のぐらつきを防止し、順調なキャップ動作と強固な嵌合及び印面保護の効果を達成する。
【符号の説明】
【００１２】
１  外キャップ        １１  収容溝
１２  制限リング      ２  内リングスリーブ
２１  割り溝          ２２  凸部
２３  薄部            ３  印章
３１  外周面          ４  保護キャップ
４１  リブ            ５  印章
５１  外周面          ６  保護キャップ
６１  外キャップ      ６１１  内周面
６２  固定リング      ６２１  内周
６２２  フランジ      ７  印章
７１  外周面
【図１】
0003155234.tif 000003
【図２】
0003155234.tif 000004
【図３】
0003155234.tif 000005
【図４】
0003155234.tif 000006
【図５】
0003155234.tif 000007
【図６】
0003155234.tif 000008
【図７】
0003155234.tif 000009
【手続補正書】
【提出日】平成21年8月28日(2009.8.28)
【手続補正１】
【補正対象書類名】実用新案登録請求の範囲
【補正対象項目名】請求項１
【補正方法】変更
【補正の内容】
【請求項１】
印章保護キャップ構造において、
外キャップであって、開口収容溝を具え、前記開口収容溝の上端に制限リングが設けられた、上記外キャップと、
内リングスリーブであって、割り溝を具えたＣ形リングであり、該リングに上が厚く下が薄い階段断面が形成され、該外キャップ内に挿入され、該内リングスリーブの上端が該外キャップの該制限リング内に制限され、該内リングスリーブの内周が該印章との嵌合に供される、上記内リングスリーブと、
を包含したことを特徴とする、印章保護キャップ構造。
【手続補正２】
【補正対象書類名】実用新案登録請求の範囲
【補正対象項目名】請求項２
【補正方法】変更
【補正の内容】
【請求項２】
請求項１記載の印章保護キャップ構造において、該内リングスリーブが、その上部外周に形成された凸部と、下部外周に形成された薄部を具えたことを特徴とする、印章保護キャップ構造。